(57)【特許請求の範囲】
【請求項１】
画像を形成する画像形成部と、
画像を読み取る画像読取部と、
前記画像読取部にて原稿の画像を読み取り、前記読み取った画像を記録材に形成するように前記画像形成部および前記画像読取部の制御を行う制御手段と、
を備え、
前記制御手段は、前記原稿の読み取りが完了した後に、前記画像形成部による前記原稿への複写履歴に関する情報を含む画像である追加の画像の形成が完了したか否かを判定し、
前記原稿への前記追加の画像の形成が完了していない場合は、前記原稿を読み取った画像を形成しないように前記画像形成部を制御し、前記原稿への前記追加の画像の形成が完了している場合は、前記原稿を読み取った前記画像を形成するように前記画像形成部を制御することを特徴とする画像形成装置。
【請求項２】
前記制御手段は、前記画像読取部にて読み取られた前記原稿の画像と、前記複写履歴に関する情報とに基づいて生成された画像を前記画像形成部に形成させるように制御することを特徴とする請求項１に記載の画像形成装置。
【請求項３】
前記原稿には、前記追加の画像を形成する際の情報を示すパターン画像が印刷されていることを特徴とする請求項１又は２に記載の画像形成装置。
【請求項４】
前記パターン画像には、前記追加の画像の形成を行う対象となる前記原稿のページ番号の情報が含まれることを特徴とする請求項３に記載の画像形成装置。
【請求項５】
前記制御手段は、前記ページ番号の情報にて設定された前記原稿のページに対して前記追加の画像の形成が完了したことに応じて、記録材への画像形成を開始させることを特徴とする請求項４に記載の画像形成装置。
【請求項６】
前記原稿に印刷されたパターン画像には、前記追加の画像を形成する際に用いられる文字のサイズの情報が含まれ、
前記制御手段は、前記文字のサイズの情報と、前記画像読取部にて読み取られた前記原稿の画像における余白領域とから、前記原稿において前記追加の画像の形成が可能な領域を特定することを特徴とする請求項３乃至５のいずれか一項に記載の画像形成装置。
【請求項７】
前記原稿に印刷されたパターン画像には、前記追加の画像の形成を実行可能な回数の上限を示す情報が含まれ、
前記制御手段は、前記追加の画像の形成を実行するたび実行した回数を更新して、新たなパターン画像を前記原稿に追記させ、
前記制御手段は更に、前記原稿に印刷されたパターン画像が示す情報と前記新たなパターン画像が示す情報とに基づいて、新たな追加の画像の形成が実行可能か否かを判定することを特徴とする請求項３乃至５のいずれか一項に記載の画像形成装置。
【請求項８】
前記制御手段は、前記原稿に前記追加の画像の形成が可能でないと判定した場合、新たな記録材に対して複写履歴に関する情報を印刷させ、当該印刷された新たな記録材を前記原稿に追加することを特徴とする請求項７に記載の画像形成装置。
【請求項９】
前記パターン画像は、二次元バーコードであることを特徴とする請求項３乃至８のいずれか一項に記載の画像形成装置。
【請求項１０】
前記原稿の複写を行う際に、複写物に追記する情報を受け付ける設定手段を更に備えることを特徴とする請求項１乃至９のいずれか一項に記載の画像形成装置。
【請求項１１】
前記画像形成装置は、前記画像形成部による記録材への画像形成を行う際に当該記録材を搬送する第一の搬送路と、前記画像読取部による原稿の画像読取を行う際に当該原稿を搬送する第二の搬送路と、
を備え、
前記第一の搬送路および前記第二の搬送路はそれぞれ、搬送する対象を他方の搬送路へと搬送できるように構成され、
前記制御手段は前記画像読取部および前記画像形成部の処理に応じて、前記第一および第二の搬送路における搬送を制御することを特徴とする請求項１乃至１０のいずれか一項に記載の画像形成装置。
【請求項１２】
画像を形成する画像形成部と、
画像を読み取る画像読取部と、
前記画像読取部にて原稿の画像を読み取り、前記読み取った画像を記録材に形成するように前記画像形成部および前記画像読取部の制御を行う制御手段と、
を備え、
前記制御手段は、前記原稿の読み取りが完了した後に、前記画像形成部による前記原稿への追加の画像の形成が完了したか否かを判定し、
前記原稿への前記追加の画像の形成が完了していない場合は、前記原稿を読み取った画像を形成しないように前記画像形成部を制御し、前記原稿への前記追加の画像の形成が完了している場合は、前記原稿を読み取った前記画像を形成するように前記画像形成部を制御し、
前記追加の画像は、前記原稿への前記追加の画像を形成する回数の上限値を示す情報を含む画像であることを特徴とする画像形成装置。
【請求項１３】
画像を形成する画像形成部と、
画像を読み取る画像読取部と、
前記画像読取部にて原稿の画像を読み取り、前記読み取った画像を記録材に形成するように前記画像形成部および前記画像読取部の制御を行う制御手段と、
前記原稿の複写を行う際に、複写物に追記する情報を受け付ける設定手段と、
を備え、
前記制御手段は、前記原稿の読み取りが完了した後に、前記画像形成部による前記原稿への追加の画像の形成が完了したか否かを判定し、
前記原稿への前記追加の画像の形成が完了していない場合は、前記原稿を読み取った画像を形成しないように前記画像形成部を制御し、前記原稿への前記追加の画像の形成が完了している場合は、前記原稿を読み取った前記画像を形成するように前記画像形成部を制御することを特徴とする画像形成装置。
【発明の詳細な説明】
【技術分野】
【０００１】
本発明は、画像形成装置に関する。
【背景技術】
【０００２】
従来、複写を行う際に、原稿に対して複写履歴情報を原稿出力部で追記することで、情報漏洩が発生した際の漏洩ルートをトレース可能とする技術が特許文献１に開示されている。また、画像形成装置に読み取り手段を備え、原稿への画像の追記と、原稿の画像情報に基づいた複写物の生成とを行うことが可能な構成が特許文献２に開示されている。
【先行技術文献】
【特許文献】
【０００３】
【特許文献１】特開２００６−２２９６７０号公報
【特許文献２】特開２０１３−２３５０３９号公報
【発明の概要】
【発明が解決しようとする課題】
【０００４】
ここで、原稿へ追記する画像として、例えば複写履歴情報の追記を行うに際して、原稿への複写履歴情報の追記と、原稿の画像情報に基づいた複写物の生成の実行タイミングによっては、情報セキュリティーの確保が難しいという課題があった。
【０００５】
本発明は、このような課題を鑑み、原稿への複写履歴情報の追記と、原稿の画像情報に基づいた複写物の生成の実行タイミングを制御し、情報セキュリティーを向上させることを目的とする。
【課題を解決するための手段】
【０００６】
上記課題を解決するために本願発明は以下の構成を有する。すなわち、画像形成装置であって、画像を形成する画像形成部と、画像を読み取る画像読取部と、前記画像読取部にて原稿の画像を読み取り、前記読み取った画像を記録材に形成するように前記画像形成部および前記画像読取部の制御を行う制御手段とを備え、前記制御手段は、前記原稿の読み取りが完了した後に、前記画像形成部による前記原稿への複写履歴に関する情報を含む画像である追加の画像の形成が完了したか否かを判定し、前記原稿への前記追加の画像の形成が完了していない場合は、前記原稿を読み取った画像を形成しないように前記画像形成部を制御し、前記原稿への前記追加の画像の形成が完了している場合は、前記原稿を読み取った前記画像を形成するように前記画像形成部を制御する。
【発明の効果】
【０００７】
本発明によれば、原稿への複写履歴情報の追記と、原稿の画像情報に基づいた複写物の生成の実行タイミングを制御し、情報セキュリティーを向上させることが可能になる。
【図面の簡単な説明】
【０００８】
【図１】第一の実施形態に係る画像形成装置の構成例を示す図。
【図２】第一の実施形態に係る両面印刷のプロセスを説明するための図。
【図３】第一の実施形態に係る原稿の第１面の画像情報の読み取りの開始動作を説明するための図。
【図４】第一の実施形態に係る原稿の反転搬送路から原稿搬送路への搬送動作を説明するための図。
【図５】第一の実施形態に係る原稿の第２面の画像情報の読み取りの開始動作を説明するための図。
【図６】第一の実施形態に係る原稿の原稿搬送路から第２排紙部への排出動作を説明するための図。
【図７】第一の実施形態に係る画像形成を説明するための図。
【図８】第一の実施形態に係る原稿への印刷処理（追記プリント処理）の動作を説明するための図。
【図９】第一の実施形態に係る画像形成装置の電装の内部構成例を示す図。
【図１０】第一の実施形態に係る操作部の構成例を示す図。
【図１１】第一の実施形態に係る画像読取部の構成例を説明するための図。
【図１２】第一の実施形態に係る原稿への複写履歴情報の追記を示す図。
【図１３】第一の実施形態に係る原稿への複写履歴情報の追記の制御のフローチャート。
【図１４】第一の実施形態に係る操作部に表示する複写履歴情報の入力画面の例を示す図。
【図１５】第一の実施形態に係る原稿への複写履歴情報の追記完了の制御のフローチャート。
【図１６】第二の実施形態に係る原稿への複写履歴情報の追記の制御のフローチャート。
【図１７】第三の実施形態に係る原稿への複写履歴情報の追記を示す図。
【図１８】第三の実施形態に係る原稿への複写履歴情報の追記を示す図。
【図１９】第三の実施形態に係る原稿への複写履歴情報の追記の制御のフローチャート。
【発明を実施するための形態】
【０００９】
以下、本発明を実施するための形態について図面を用いて説明する。本願発明に係る装置は、オートドキュメントフィーダユニット（ＡＤＦ）に代表される画像読取装置、またはＡＤＦを搭載する複写機やレーザービームプリンタ（ＬＢＰ）、ファクシミリに代表される複合機能付きの画像形成装置などが該当する。以下の実施形態では画像形成装置を例に挙げて説明する。
【００１０】
＜第一の実施形態＞
図１は、本実施形態に係る画像形成装置１の断面の概略を示す図である。画像形成装置１は、記録材Ｓを収納する第１給紙部３、第１給紙部３から記録材Ｓを搬送する第１の搬送路５、搬送された記録材Ｓを積載する第１排紙部７、電装８、および光学ユニット１１を備える。第１の搬送路５を以降、「記録材搬送路」とも記載する。記録材Ｓの例としては、印字紙、転写紙、またはＯＨＰシート等が挙げられるが、これらに限定するものではない。また、画像形成装置１は、画像情報を記載した原稿Ｇを収納する第２給紙部１３、第２給紙部１３から原稿Ｇを搬送する第２の搬送路１５、原稿Ｇを第２排紙部１７へ搬送する第３の搬送路１６、および搬送された原稿Ｇを積載する第２排紙部１７を備える。第２の搬送路１５、および、第３の搬送路１６を以降、「原稿搬送路」とも記載する。画像情報の詳細については後述する。
【００１１】
記録材搬送路５には、記録材Ｓに画像を印刷する印刷部２１、記録材Ｓを搬送するＣＳＴ（カセットトレイ）ピックアップローラ２３、分離手段２５、搬送ローラ２７、排紙ローラ２９、および両面印刷のための両面フラッパ３１が備えられている。原稿搬送路１５には、原稿Ｇまたは記録材Ｓの表裏の面を反転させて搬送する反転搬送路３３、原稿Ｇを搬送するＣＩＳ（Ｃｏｎｔａｃｔ  Ｉｍａｇｅ  Ｓｅｎｓｏｒ）ピックアップローラ３５、分離手段３７、搬送ローラ３９および４１が備えられている。原稿搬送路１６には、搬送ローラ４３、排紙ローラ４５、およびスイッチバックフラッパ４７が備えられている。原稿搬送路１６は、スイッチバックフラッパ４７の位置で反転搬送路３３と連結している。各種フラッパや各種ローラの制御により、原稿搬送路および記録材搬送路を搬送される記録材Ｓおよび原稿Ｇを合流、分離を切り替えて搬送することが可能となる。つまり、記録材搬送路５、原稿搬送路１５、１６はそれぞれ、搬送制御によって、記録材Ｓおよび原稿Ｇを他方の搬送路へと搬送可能となるように構成されている。搬送の具体例については、図を用いて後述する。
【００１２】
反転搬送路３３は、両端がそれぞれ搬送ローラ２７および排紙ローラ２９の位置で記録材搬送路５と連結している。原稿搬送路１５上には、画像読取部５０と、画像読取部５０に対面する位置に白基準部材５１とが備えられている。画像読取部５０は、図３〜図５に示すように回転可能に構成され、回転することで読み取り位置を切り替えて原稿搬送路１５、１６上で画像の読み取りが可能となる。この動作についての詳細は後述する。
【００１３】
光学ユニット１１は、電装８からの印刷信号を受けてレーザ光を印刷部２１に照射する発光部５３が備えられている。本実施形態では、光学ユニット１１と印刷部２１により画像形成部の一例を成している。電装８の内部構成の詳細は後述する。
【００１４】
印刷部２１は、感光ドラム６１、現像ローラ６３、転写部６５、および定着部６７で構成される。定着部６７は、加熱ローラ６９および加圧ローラ７１で構成される。感光ドラム６１は、回転可能な像担持体である。現像ローラ６３は、感光ドラム６１と並接し、トナーを保持しながら回転する。光学ユニット１１が印刷信号を受けると、発光部５３は、回転する感光ドラム６１の表面にレーザ光を照射する。レーザ光を照射された感光ドラム６１の表面には、電荷による静電潜像が形成される。現像ローラ６３が回転しながら、感光ドラム６１の表面に形成された静電潜像にトナーを供給すると、感光ドラム６１の表面にはトナー画像が形成される。感光ドラム６１には、記録材Ｓにそのトナー画像を転写する転写部６５が並接される。
【００１５】
第１給紙部３に収納されていた記録材Ｓは、ＣＳＴピックアップローラ２３と分離手段２５によって一枚ずつ記録材搬送路５の搬送ローラ２７に搬送される。図１において、太い線の矢印は記録材Ｓとその進行方向を示す。搬送ローラ２７は、感光ドラム６１の表面上にあるトナー画像と記録材Ｓの先端とが合うようにタイミングを調整して、記録材Ｓを転写部６５へ搬送する。
【００１６】
トナー画像は、感光ドラム６１の回転によって転写部６５に向かい、転写部６５に付与される印加バイアスと圧力とによって記録材Ｓに転写される。転写部６５は、記録材Ｓを定着部６７に搬送する。定着部６７では、回転可能な加熱ローラ６９からの熱と加圧ローラ７１による圧力とによりトナー画像を記録材Ｓに定着させる。トナー画像が定着された記録材Ｓは排紙ローラ２９に搬送される。片面印刷の場合には、排紙ローラ２９は記録材Ｓを第１排紙部７に排出する。両面印刷の場合には、記録材Ｓは排紙ローラ２９から記録材搬送路５と連結している反転搬送路３３へ搬送される。
【００１７】
ここからは、画像形成装置１における電装８と画像読取部５０と操作部８０５の詳細について説明する。図９は、本実施形態に係る画像形成装置１の電装８の内部構成を示す図である。図９を用いて電装８の内部構成を説明する。電装８の内部には、制御手段の一例であるＣＰＵ８０１によって制御される各ユニットが備えられている。
【００１８】
ＣＰＵ８０１は、ポリゴンミラー、モータおよびレーザ発光素子などを含む発光部５３と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）８０２を介して接続される。ＡＳＩＣ８０２は、ＣＰＵ８０１の制御負荷の低減を図るために用いられる。ＣＰＵ８０１は、感光ドラム６１の表面にレーザ光を走査して所望の静電潜像を形成するために、ＡＳＩＣ８０２に制御信号を送信して発光部５３を制御する。
【００１９】
ＣＰＵ８０１は、バス等を介してプログラムメモリ８０３に接続される。プログラムメモリ８０３には、ＣＰＵ８０１によって行われる処理の全てまたは一部を実行するためのプログラムおよびデータが格納される。即ち、ＣＰＵ８０１は、プログラムメモリ８０３に格納されたプログラムおよびデータを用いて各種処理を実行する。ＡＳＩＣ８０２は、ＣＰＵ８０１の指示に従って、画像読取部５０を制御して、画像読取部５０で読み取られた画像情報を画像メモリ８０４に格納する。
【００２０】
ＣＰＵ８０１は、さらに、電子写真プロセスに必要な帯電、現像、転写などを制御する高電圧電源ユニット８１０と、定着を制御する電源ユニット８１１とを制御する。また、ＣＰＵ８０１は、定着部６７に設けられたサーミスタ（不図示）により温度をモニタし、定着温度を一定に保つための制御を行う。ＣＰＵ８０１は、両面フラッパソレノイド８２０、スイッチバックソレノイド８２１などの駆動系を制御する。また、ＣＰＵ８０１は、記録材Ｓを搬送するために、ＡＳＩＣ８０２に制御信号を送信して、ＣＳＴ給紙ソレノイド８２２、ＣＩＳ給紙ソレノイド８２３、メインモータ８３０、両面駆動モータ８４０などの駆動系を制御する。メインモータ８３０は、ＣＳＴピックアップローラ２３、搬送ローラ２７、感光ドラム６１、転写部６５、加熱ローラ６９、加圧ローラ７１などを駆動する。ＣＳＴ給紙ソレノイド８２２は、記録材Ｓを給紙する給紙ローラの駆動開始時にオンにしてＣＳＴピックアップローラ２３を駆動する。両面駆動モータ８４０はＣＩＳピックアップローラ３５と搬送ローラ３９、４１、４３、および排紙ローラ４５を駆動する。
【００２１】
ＡＳＩＣ８０２は、ＣＰＵ８０１の指示に基づいて発光部５３内部のモータの速度制御、メインモータ８３０の速度制御、両面駆動モータ８４０の速度制御を行う。このようなモータの速度制御では、上述した各モータからのタック信号を検出して、タック信号の間隔が所定の時間となるように加速信号または減速信号をモータに送信する。タック信号とは、モータが回転するごとにモータから出力されるパルス信号である。
【００２２】
ＣＰＵ８０１は、タッチパネルなどの表示や、操作キーを有している操作部８０５と接続される。ＣＰＵ８０１は、操作画面を表示するよう操作部８０５を制御したり、ユーザからのコマンドを操作部８０５を介して受信したりする。例えば、コピーコマンドを操作部８０５から受信した場合、あるいはホストコンピュータ（不図示）からプリントコマンドを受信した場合、ＣＰＵ８０１は、メインモータ８３０、両面駆動モータ８４０を駆動させて記録材Ｓを搬送する。感光ドラム６１の表面に形成されたトナー画像が転写部６５によって記録材Ｓに転写され、トナー画像が定着部６７によって記録材Ｓに定着された後、記録材Ｓは第１排紙部７に排出される。画像形成済みの記録材Ｓの整列性を高めるため、第１排紙部７には、排紙口付近から記録材Ｓの排出方向に向けてゆるやかな上がり勾配が設けられている。ＣＰＵ８０１は、定着部６７に所定の電力を供給するよう電源ユニット８１１を制御し、定着部６７は所定の熱量を発生して、その熱量を記録材Ｓに与え、記録材Ｓ上のトナー画像を融着させ、トナー画像を記録材Ｓに定着させる。
【００２３】
ＣＰＵ８０１は、コピーコマンドを操作部８０５から受信した場合、あるいはホストコンピュータ（不図示）からスキャンコマンドを受信した場合に、両面駆動モータ８４０を駆動させる。両面駆動モータ８４０のトルクがＣＩＳピックアップローラ３５に伝達され、ＣＩＳピックアップローラ３５は原稿Ｇを搬送する。画像読取部５０は、信号線８６０、８７０を介してＡＳＩＣ８０２と接続されており、信号線８６０、８７０を介してＡＳＩＣ８０２と通信を行う。
【００２４】
図１０は、本実施形態に係る操作部８０５の一例を示す図である。表示部９０１は、タッチパネルシートが貼られた液晶ディスプレイから構成されていて、操作画面やソフトキーを表示する。表示部９０１は、ソフトキーが押下されると、押下された位置を示す位置情報をＣＰＵ８０１に送信する。ＣＰＵ８０１はその位置情報に基づいて、ユーザのコマンドを判別する。
【００２５】
キーボード９０２は、テンキー９０３、ストップキー９０４、ユーザモードキー９０５、およびスタートキー９０６を有する。テンキー９０３は、数字と文字を入力するためのキーであり、コピー部数の設定や画面の切り替えで使われる。ストップキー９０４は、稼働中の動作を止めるためのキーである。ユーザモードキー９０５は、画像形成装置１の設定を行うためのキーである。スタートキー９０６は、画像情報の読み取りの開始や印刷の開始を指示するためのキーである。スタートキー９０６の中央には、２色に発光可能なＬＥＤ部９０７がある。例えば、ＬＥＤ部９０７が緑色であるときはスタートキー９０６が使えることを示し、ＬＥＤ部９０７が赤色であるときはスタートキー９０６が使えないことを示す。
【００２６】
図１１は、本実施形態に係る画像読取部５０の構成例を説明する図である。図１１では、ＣＩＳ１００１の回路ブロックの例を示す。ＣＩＳ１００１では、例えば１０，３６８画素分のフォトダイオードが特定の主走査密度（例えば１，２００ｄｐｉ）でアレイ状に配置されている。
【００２７】
画像読取部５０は、ＡＳＩＣ８０２からスタートパルス（ＣＩＳＳＴＡＲＴ）信号１００２、発光素子制御（ＣＩＳＬＥＤ）信号１００３、Ｓｌ＿ｉｎ信号１００４を受信する。さらに、画像読取部５０は、ＡＳＩＣ８０２からＳｌ＿ｓｅｌｅｃｔ信号１００５、ＣＩＳの動作速度を決めるシステムクロック（ＳＹＳＣＬＫ）信号１００６を受信する。なお、ＣＩＳＳＴＡＲＴ信号１００２、ＣＩＳＬＥＤ信号１００３、Ｓｌ＿ｉｎ信号１００４、Ｓｌ＿ｓｅｌｅｃｔ信号１００５、ＳＹＳＣＬＫ信号１００６は、図９に示す画像読取部５０とＡＳＩＣ８０２を接続する信号線８６０により伝送される。また、画像読取部５０は、ＡＳＩＣ８０２にＳｌ＿ｏｕｔ信号１００７を送信する。Ｓｌ＿ｏｕｔ信号１００７は、図９に示す画像読取部５０とＡＳＩＣ８０２を接続する信号線８７０により伝送される。
【００２８】
発光素子１００８は、電流増幅部１００９によって増幅された電流に基づいて発光し、原稿Ｇを均一に照射する。
【００２９】
ＣＩＳＳＴＡＲＴ信号１００２がアクティブになると、ＣＩＳ１００１は、受けた光に基づく電荷の蓄積を開始し、出力バッファ１０１０にデータを順次セットする。転送クロック（ＣＩＳＣＬＫ）信号１０１１がシフトレジスタ１０１２に与えられると、シフトレジスタ１０１２は、出力バッファ１０１０にセットされたデータをＣＩＳＳＮＳ信号１０１３としてＡ／Ｄコンバータ１０１４に転送する。ＣＩＳＣＬＫ信号１０１１の周波数は、例えば５００ｋＨｚ〜１ＭＨｚである。
【００３０】
ＣＩＳＳＮＳ信号１０１３には所定のデータ保障領域があるため、ＣＩＳＣＬＫ信号１０１１の立ち上がりタイミングから所定の時間が経過したのちにＣＩＳＳＮＳ信号１０１３のサンプリングが行われる。ＣＩＳＳＮＳ信号１０１３は、ＣＩＳＣＬＫ信号１０１１の立ち上がりと立ち下りの双方のエッジに同期して出力される。Ａ／Ｄコンバータ１０１４のサンプリング速度を決定するＣＩＳサンプリングクロック（ＡＤＣＬＫ）信号１０１５の周波数は、ＣＩＳＣＬＫ信号１０１１の周波数の２倍となるように生成される。そして、ＡＤＣＬＫ信号１０１５の立ち上がりのエッジにより、ＣＩＳＳＮＳ信号１０１３がサンプリングされる。タイミングジェネレータ１０１６は、ＳＹＳＣＬＫ信号１００６を分周して、ＡＤＣＬＫ信号１０１５およびＣＩＳＣＬＫ信号１０１１を生成する。ＡＤＣＬＫ信号１０１５の位相は、ＣＩＳＣＬＫ信号１０１１と比べて、データ保障領域分だけ遅延している。
【００３１】
Ａ／Ｄコンバータ１０１４でデジタル変換されたＣＩＳＳＮＳ信号１０１３は、出力インターフェース回路１０１７によって所定のタイミングでＳｌ＿ｏｕｔ信号１００７として送信される。Ｓｌ＿ｏｕｔ信号１００７はシリアルデータである。その際、ＣＩＳＳＴＡＲＴ信号１００２から所定画素数分のＣＩＳＳＮＳ信号１０１３は、アナログ出力基準電圧であるため、有効画素としては使用されない。
【００３２】
制御回路１０１８は、Ｓｌ＿ｉｎ信号１００４およびＳｌ＿ｓｅｌｅｃｔ信号１００５に従ってＧＡＩＮ１０１９を介してＡ／Ｄコンバータ１０１４のＡ／Ｄ変換ゲインを可変に制御することができる。例えば、画像のコントラストが適切に得られない場合、Ａ／Ｄコンバータ１０１４のＡ／Ｄ変換ゲインを大きくするよう制御回路１０１８に指示し、コントラストを増加させる。これにより、画像のコントラストを適切な値へと変換することができる。
【００３３】
図１１では、全ての画素が一つずつＣＩＳＳＮＳ信号１０１３として出力される例を説明した。しかし、画像を高速で読み取るために、複数画素をエリアごとに分割して、複数のエリアを並行してＡ／Ｄ変換してもよい。また、図１１では、画像読み取りのイメージセンサとしてＣＩＳ１００１を用いた。しかし、ＣＭＯＳセンサやＣＣＤセンサを用いてもよい。
【００３４】
ここからは、図２〜図８を基に、画像形成装置１における記録材Ｓへの印刷動作、および、原稿Ｇに対する読み取り動作及び追記プリント動作について説明する。
【００３５】
図２は、本実施形態に係る両面印刷の処理を説明するための図である。まず、第１給紙部３に収納されていた記録材Ｓは、ＣＳＴピックアップローラ２３および搬送ローラ２７によって搬送され、転写部６５を通ってその片面にトナー画像が定着され、排紙ローラ２９に搬送される。次に、記録材Ｓの後端が両面フラッパ３１を通過した後、両面フラッパ３１は搬送路を記録材搬送路５から反転搬送路３３に切り替える。その後、排紙ローラ２９は逆回転し、記録材Ｓを反転搬送路３３へ搬送する。記録材Ｓは搬送ローラ３９によって画像読取部５０の読み取り位置に搬送される。その後、記録材Ｓは搬送ローラ４１および搬送ローラ２７によって再び転写部６５に搬送される。記録材Ｓの裏面に対してトナー画像の転写および定着が行われた後、第１排紙部７に排出される。
【００３６】
図３〜図７を用いて、本実施形態に係る両面コピーの処理を説明する。なお、本実施形態では、原稿Ｇの第１面を表面とし第２面を裏面としているが、第１面を裏面とし第２面を表面としてもよく、原稿Ｇの第１面と第２面が表であるか裏であるかはどちらでも構わない。また、原稿Ｇが両面印刷されている場合の例を示しているが、片面印刷がなされた原稿Ｇを対象としても構わない。
【００３７】
図３は、本実施形態の原稿Ｇが第２給紙部１３から原稿搬送路１５へ搬送され、原稿Ｇの第１面の画像情報の読み取りが開始される動作を説明するための図である。図３において、太い線の矢印は原稿Ｇとその進行方向とを示す。また、第２給紙部１３に積載された原稿Ｇにおいて、上側の面を第１面として説明する。第２給紙部１３に収納されていた原稿Ｇは、ＣＩＳピックアップローラ３５と分離手段３７によって一枚ずつ搬送ローラ３９に搬送される。画像読取部５０は、原稿Ｇの第１面の画像情報の読み取りを開始する前に、ＣＩＳ１００１の感度不均一や発光素子１００８の不均一等に起因する画像信号の出力レベルのばらつきを補正するためのシェーディング補正係数の導出を行う。シェーディング補正により、濃度（輝度）にムラがある画像からムラを除き、一様な明るさの画像にすることができる。シェーディング補正係数は、画像読取部５０と白基準部材５１とが対面する位置で、白基準画像と黒基準画像とから導出される。ここで、白基準画像は発光素子１００８が白基準部材５１へ発光することで得られ、黒基準画像は発光素子１００８が発光しない状態で画像読取部５０にて読み取られる。
【００３８】
画像読取部５０は、導出されたシェーディング補正係数を、新たなシェーディング補正係数として設定する。その後、画像読取部５０は、原稿搬送路１５に備えられている反転搬送路３３に対面する位置に回転する。搬送ローラ３９は、原稿Ｇを画像読取部５０の読み取り位置に搬送し、画像読取部５０は原稿Ｇの第１面の画像情報を読み取る。読み取られた原稿Ｇの第１面の画像情報は、電装８に備えられた画像メモリ８０４に記憶される。なお、白基準部材５１は、ごみ付着に対する配慮がなされ、画像形成装置１に下向きに配置されている。また、基準部材に白基準部材５１を使用しているが、基準部材は白色以外でもよい。
【００３９】
図４は、本実施形態に係る原稿Ｇの第１面の画像情報の読み取りが終了し、原稿Ｇが反転搬送路３３から原稿搬送路１６へ搬送される動作を説明するための図である。
【００４０】
反転搬送路３３で原稿Ｇの第１面の画像情報の読み取りが開始され、画像読取部５０を通過した原稿Ｇは、搬送ローラ４１に搬送される。搬送ローラ４１は、原稿Ｇの後端がスイッチバックフラッパ４７を通過した時点で停止する。このとき、原稿Ｇは搬送ローラ４１に挟持された状態で所定時間が経過するまで停止している。この所定時間の間に、スイッチバックフラッパ４７は、搬送路を反転搬送路３３から原稿搬送路１６に切り替える。所定時間の経過後、搬送ローラ４１は原稿Ｇを原稿搬送路１６へ搬送する。
【００４１】
また、原稿Ｇの第１面の画像情報の読み取りが終了した後、画像読取部５０は白基準部材５１が設置されている位置に対面する位置まで回転する。ここで、白基準部材５１に対面する位置は、画像読取部５０の回転軌道上にある。画像読取部５０と白基準部材５１とが対面する位置で、白基準画像と黒基準画像とから、シェーディング補正係数が導出される。画像読取部５０は、導出されたシェーディング補正係数を、新たなシェーディング補正係数として設定する。
【００４２】
図５は、本実施形態に係る原稿Ｇが反転搬送路３３から原稿搬送路１６へ搬送され、原稿Ｇの第２面の画像情報の読み取りが開始され、記録材Ｓは第１給紙部３から記録材搬送路５へ搬送される動作を説明するための図である。原稿Ｇは、所定時間が経過するまで搬送ローラ４１に挟持された状態で停止する。スイッチバックフラッパ４７が原稿Ｇの搬送路を反転搬送路３３から原稿搬送路１６に切り替えると同時に、画像読取部５０は原稿搬送路１６に対面する位置に回転する。搬送ローラ４１が逆回転し、原稿Ｇは原稿搬送路１６を通って画像読取部５０に搬送される。原稿Ｇが画像読取部５０を通過する際に、画像読取部５０は原稿Ｇの第２面の画像情報を読み取る。読み取られた原稿Ｇの第２面の画像情報は、電装８に備えられた画像メモリ８０４に記憶される。
【００４３】
一方、第１給紙部３に収納されていた記録材Ｓは、一枚ずつ記録材搬送路５に備えられた搬送ローラ２７に搬送される。搬送されるのとほぼ同時に、発光部５３は、画像メモリ８０４に記憶された原稿Ｇの第２面の画像情報に基づいてレーザ光を感光ドラム６１の表面に照射し、これにより静電潜像が感光ドラム６１の表面に形成される。感光ドラム６１の表面に形成された静電潜像は、現像ローラ６３により、トナー画像として現像される。転写部６５は、現像されたトナー画像を記録材Ｓに転写し、定着部６７はトナー画像を記録材Ｓに定着して、原稿Ｇの第２面の画像情報に基づく画像形成が完了する。図５では、原稿Ｇの第２面の画像情報の読み取りの開始とともに記録材Ｓの搬送が開始されているが、原稿Ｇの第２面の画像情報の読み取りの後に記録材Ｓの搬送が開始されてもよい。
【００４４】
図６は、本実施形態に係る原稿Ｇの第２面の画像情報の読み取りが終了し、原稿Ｇは原稿搬送路１６から第２排紙部１７へ排出され、記録材Ｓは記録材搬送路５から反転搬送路３３へ搬送される動作を説明するための図である。原稿搬送路１６で第２面の画像情報を読み取られた原稿Ｇは、搬送ローラ４３および排紙ローラ４５によって第２排紙部１７に排出される。原稿Ｇの後端がスイッチバックフラッパ４７を通過すると、スイッチバックフラッパ４７は、搬送路を原稿搬送路１６から反転搬送路３３へ切り替える。原稿Ｇの第２面の画像形成が完了した記録材Ｓは、排紙ローラ２９の逆回転によって、両面フラッパ３１で切り替えられた反転搬送路３３に向けて搬送される。
【００４５】
図７は、本実施形態に係る原稿Ｇの第１面の画像情報に基づく画像形成を説明するための図である。原稿Ｇの第２面の画像形成が完了した記録材Ｓの後端が両面フラッパ３１を通過した後、両面フラッパ３１は搬送路を記録材搬送路５から反転搬送路３３へ切り替える。その後、排紙ローラ２９は逆回転し、記録材Ｓを反転搬送路３３へ搬送する。反転搬送路３３に搬送された記録材Ｓは、画像読取部５０を通過して搬送ローラ４１によって搬送ローラ２７に搬送され、さらに搬送ローラ２７によって転写部６５に搬送される。図７において、破線の矢印は記録材Ｓの搬送の様子を示している。発光部５３は、画像メモリ８０４に記憶された原稿Ｇの第１面の画像情報に基づいてレーザ光を感光ドラム６１の表面に照射し、感光ドラム６１の表面に静電潜像が形成される。感光ドラム６１の表面に形成された静電潜像は、現像ローラ６３により、トナー画像として現像される。転写部６５は、現像されたトナー画像を記録材Ｓに転写し、定着部６７はトナー画像を記録材Ｓに定着して、原稿Ｇの第１面の画像情報に基づく画像形成が完了する。その後、記録材Ｓは排紙ローラ２９によって第１排紙部７に排出される。
【００４６】
図８は、本実施形態に係る原稿Ｇの第１面および第２面の両面の画像情報を読み取り、読み取った原稿Ｇの両面に印字等の印刷を行う処理（追記プリント処理）を説明する図である。まず、第２給紙部１３に収納された原稿Ｇは、ＣＩＳピックアップローラ３５と分離手段３７により、一枚ずつ搬送ローラ３９に搬送される。画像読取部５０は、シェーディング補正係数の導出を行う。シェーディング補正の動作については図３を用いて説明したものと同様である。画像読取部５０を通過した原稿Ｇは、搬送ローラ４１に搬送される。搬送ローラ４１は、原稿Ｇの後端がスイッチバックフラッパ４７を通過した時点で停止する。よって、原稿Ｇは搬送ローラ４１に挟持された状態で停止している。所定時間の経過後、原稿Ｇは、原稿搬送路１６へ搬送される。
【００４７】
スイッチバックフラッパ４７が搬送路を、反転搬送路３３から原稿搬送路１６に切り替えると同時に、画像読取部５０は、原稿搬送路１６に対面する位置に回転する。搬送ローラ４１が逆回転すると、原稿Ｇは、原稿搬送路１６に沿って、画像読取部５０に搬送される。原稿Ｇが画像読取部５０に搬送され通過することで、画像読取部５０は原稿Ｇの第２面の画像情報を読み取る。読み取られた原稿Ｇの第２面の画像情報は、画像メモリ８０４に記憶される。上述までの制御により、原稿Ｇの両面の画像情報の読み取りが完了する。
【００４８】
画像情報の読み取りが終了した原稿Ｇに対して以下の制御により追記プリントを行う。ここでの追記プリントとは、予め画像が印刷されていた原稿Ｇに対し、新たな画像情報を追加で印刷することを指す。まず、原稿Ｇを搬送ローラ４３および排紙ローラ４５まで搬送する。排紙ローラ４５は、原稿Ｇの後端が画像読取部５０を通過した時点で停止する。よって、原稿Ｇは排紙ローラ４５に挟持された状態で停止している。所定時間の経過後、排紙ローラ４５は逆回転すると、原稿Ｇは、原稿搬送路１６に沿って搬送ローラ４１によって、搬送ローラ２７に搬送される。搬送ローラ２７は、感光ドラム６１の表面のトナー画像と原稿Ｇの先端位置のタイミングを合わせるように、原稿Ｇを転写部６５へと搬送する。
【００４９】
感光ドラム６１の回転によりトナー画像は、転写部６５に付与される印加バイアスと圧力によって、原稿Ｇに転写される。更に、転写部６５は、原稿Ｇを定着部６７に搬送する。定着部６７では、回転可能な加熱ローラ６９からの熱と、加熱ローラ６９と対向し回転可能な加圧ローラ７１の圧力とにより、トナー画像を原稿Ｇに定着させる。トナー画像が定着された原稿Ｇは、排紙ローラ２９に搬送される。排紙ローラ２９は、原稿Ｇの後端が両面フラッパ３１を通過した時点で停止し、両面フラッパ３１は原稿Ｇが搬送ローラ３９の方向に搬送されるよう切り替える。所定時間の経過後、排紙ローラ２９が逆回転すると、原稿Ｇは、第１面から第２面に反転した状態で搬送ローラ３９に搬送される。引き続き、原稿Ｇは、搬送ローラ４１および搬送ローラ２７によって、転写部６５および定着部６７へと搬送され、トナー画像が印刷される。その後、原稿Ｇは排紙ローラ２９に搬送され、排紙ローラ２９は原稿Ｇを第１排紙部７に排出する。このようにして、原稿Ｇの両面の画像情報を読み取り、読み取った原稿Ｇの両面に追記プリントを行う。
【００５０】
図１２は、本実施形態において原稿Ｇの複写時に複写履歴情報の追記プリント処理を行う一例を示す。図１２において、１２０１は複写前の原稿Ｇを示す。また、１２０２は複写に伴って追記プリント処理を行った原稿Ｇ、１２０５は複写に伴って追記プリント処理を行わなかった原稿Ｇ、１２０３は複写物を示す。図１２に示すように、原稿Ｇ１２０２には複写履歴情報が追記されており、さらに複写物１２０３にも原稿Ｇと同じ複写履歴情報が印刷されている。また、原稿Ｇ１２０１には、ＱＲコード（登録商標）などを代表とする二次元バーコード１２０４が予め印刷されており、上述したように原稿Ｇに複写履歴情報を追記プリントする際に必要となる情報が埋め込まれている。例えば、複数枚の用紙からなる原稿Ｇのうち、１枚目の用紙が原稿Ｇ１２０２に該当し、２枚目以降の用紙が原稿Ｇ１２０５に該当するような構成としてよい。また、原稿Ｇ１２０２に該当するページは複数であってもよい。
【００５１】
本実施形態において、ユーザによって予め原稿Ｇに二次元バーコード１２０４を用いて埋め込まれた情報に基づいて、原稿Ｇに対して複写履歴情報の追記プリント処理を実行する。なお、原稿Ｇへの二次元バーコード１２０４の付加は、原稿Ｇの文書作成時にパーソナルコンピュータ等の文書作成ソフト上でユーザが行うものとする。表１に二次元バーコード１２０４に埋め込む情報の項目の一例を示す。なお、情報を埋め込む手段としては二次元バーコード１２０４ではなく、例えば電子透かしや、他のパターン画像等の他の手段であっても構わない。
【００５２】
【表１】
0006448309.tif 000002
【００５３】
本実施形態においては、複写物１２０３に“コピー禁止”の文字を追加した例を示すが、これに限定するものではない。例えば、複写物１２０３には文字の追加だけではなく、例えばコピー防止用のパターンを追加しても構わない。また、原稿Ｇへの複写履歴情報の追記は、文字ではなく二次元バーコードなどのパターンによって行っても構わない。さらに、本実施形態においては複写物１２０３に二次元バーコード１２０４を印刷していない例を示しているが、印刷するように構成しても構わない。
【００５４】
［処理フロー］
図１３のフローチャートを用いて本実施形態に係る両面コピー時における画像形成装置１の制御について説明を行う。本実施形態においては、原稿Ｇへの複写履歴情報の追記が完了したことを二次元バーコード１２０４の情報を基に判定し、その後に複写物のプリント処理を実行する制御を行う。なお、本実施形態において画像形成装置１のユーザ操作は操作部８０５で行う例を示しているが、これに限定するものではなく、例えばパーソナルコンピュータや携帯電話など画像形成装置１に接続される装置を介して実施できるようにしてよい。また、本実施形態では、総ページ数が２０ページの原稿Ｇにおいて、第１面の１ページと第２面の４ページに複写履歴情報の追記を行う場合を一例として説明する。
【００５５】
Ｓ１３０１にて、画像形成装置１は、操作部８０５からコピーコマンドを受け取った場合、原稿Ｇの１面目の読み取り処理を行う。原稿Ｇの読み取った１面目の画像情報は、画像メモリ８０４に格納される。
【００５６】
Ｓ１３０２にて、画像形成装置１は、原稿Ｇの２面目の読み取り処理を行う。原稿Ｇの読み取った２面目の画像情報は、画像メモリ８０４に格納される。
【００５７】
Ｓ１３０３にて、画像形成装置１は、画像メモリ８０４に格納された画像情報を分析処理し、原稿Ｇに二次元バーコード１２０４が付加されているか否かを確認し、その二次元バーコード１２０４の情報に基づいて、複写履歴管理が必要な文書か否かを判定する。複写履歴管理が必要な文書（以下、複写履歴管理文書）であると判定した場合は（Ｓ１３０３にてＹＥＳ）Ｓ１３０４に進み、複写履歴管理文書でないと判定した場合は（Ｓ１３０３にてＮＯ）Ｓ１３１３に進む。
【００５８】
Ｓ１３０４にて、画像形成装置１は、追記完了フラグの状態を判定する。追記完了フラグは、原稿Ｇへの追記プリントが完了したか否かを示し、その値が“１”であれば完了したことを示し、“０”であれば未完了であることを示す。追記完了フラグは初期値を“０”とする。追記完了フラグが“１”である場合は（Ｓ１３０４にてＹＥＳ）、画像形成装置１は、原稿Ｇへの追記プリント処理は完了していると判定し、Ｓ１３１２に進む。一方、追記完了フラグが“０”の場合は（Ｓ１３０４にてＮＯ）、画像形成装置１は、原稿Ｇへの追記プリント処理が未完了であると判定し、Ｓ１３０５に進む。
【００５９】
Ｓ１３０５にて、画像形成装置１は、Ｓ１３０１およびＳ１３０２にて読み取った画像が原稿Ｇの第１枚目の読み取りであるか否かを判定する。原稿Ｇの第１枚目の読み取りである場合は（Ｓ１３０５にてＹＥＳ）Ｓ１３０６に進む。原稿Ｇの第２枚目以降の読み取りである場合は（Ｓ１３０５にてＮＯ）、画像形成装置１は、ユーザによる複写履歴入力を飛ばし、Ｓ１３０８に進む。
【００６０】
Ｓ１３０６にて、画像形成装置１は、表１に示す原稿Ｇの二次元バーコード１２０４に埋め込まれた複写履歴追記ページ情報から原稿Ｇへの複写履歴管理情報の追記が必要なページ番号のリストを作成し、プログラムメモリ８０３に格納する。本実施形態においては、ページ番号リストの一例は以下の表２に示す通りである。
【００６１】
【表２】
0006448309.tif 000003
【００６２】
Ｓ１３０７にて、画像形成装置１は、原稿Ｇに印字されている二次元バーコード１２０４に基づいて、ユーザ入力が必要な項目を表示部９０１に表示する。図１４にユーザからの入力を受け付ける設定画面の構成例を示す。本実施形態においては、図１４に示すように所属および名前をユーザ入力する項目としている。また、表１に示す二次元バーコード１２０４に埋め込まれた複写物への追記情報選択肢の情報に従って複写物への追加プリント項目をユーザ選択できるよう、表示部９０１に表示する。
【００６３】
Ｓ１３０８にて、画像形成装置１は、Ｓ１３０１もしくはＳ１３０２で読み込んだ原稿Ｇの二次元バーコード１２０４の情報（本実施形態では表２に示したデータ）から原稿Ｇに複写履歴情報の追記が必要なページか否かを判定する。具体的には、画像形成装置１は、表１に示す二次元バーコード１２０４の情報において、読み込んだ原稿Ｇのページ番号が複写履歴追記ページ番号と一致している場合に、追記が必要であると判定する。本実施形態の場合は１ページ目、４ページ目に履歴情報の追記を行うので、１ページ目、４ページ目のみ（Ｓ１３０８にてＹＥＳ）Ｓ１３０９に進み、それ以外のページは（Ｓ１３０８にてＮＯ）Ｓ１３１０に進む。
【００６４】
Ｓ１３０９にて、画像形成装置１は、Ｓ１３０８で原稿Ｇへの複写履歴情報の追記が必要であると判定した場合には、図８で説明したように原稿Ｇの第１面もしくは第２面への追記プリント処理を行う。
【００６５】
Ｓ１３１０にて、画像形成装置１は、Ｓ１３０３で読みとった二次元バーコード１２０４の情報の複写履歴追記ページ番号に基づいて、必要なページへの原稿Ｇの追記プリントが完了したか否かを判定する。この判定処理については図１５のフローチャートを用いて後述する。原稿Ｇへの必要なページへの追記プリントが完了した場合（Ｓ１３１０にてＹＥＳ）Ｓ１３１１に進み、原稿Ｇへの必要なページへの追記プリントが完了していない場合（Ｓ１３１０にてＮＯ）Ｓ１３０１に戻り、画像形成装置１は原稿Ｇの読み取り処理を行う。本実施形態においては、表１に示したように、１ページ目と４ページ目への追記プリントが完了した時点で、画像形成装置１は、原稿Ｇへの追記プリントが完了したと判定し、Ｓ１３１１に進む。
【００６６】
Ｓ１３１１にて、画像形成装置１は、追記完了フラグを“１”にセットし、プログラムメモリ８０３に格納する。
【００６７】
Ｓ１３１２にて、画像形成装置１は、Ｓ１３０１およびＳ１３０２で画像メモリ８０４に格納した原稿Ｇの画像情報に基づいて、複写物の両面印刷処理を実行する。この際、複写物にも先に原稿Ｇに追記した複写履歴情報が記載されるように画像形成を行う。両面印刷処理の動作は、図２を用いて前述した通りである。
【００６８】
Ｓ１３１３にて、画像形成装置１は、印刷処理後の不要になった原稿Ｇの画像情報を画像メモリ８０４から消去する。Ｓ１３１２で画像メモリ８０４に蓄積した画像情報に基づく複写物のプリントが終了しているため、以降は不要となる。
【００６９】
Ｓ１３１４にて、画像形成装置１は、原稿Ｇの読み取りが完了したか否かを判定する。完了したと判定した場合は（Ｓ１３１４にてＹＥＳ）、本処理フローを終了する。一方、原稿Ｇの読み取り処理が完了していないと判定した場合は（Ｓ１３１４にてＮＯ）、Ｓ１３０１に戻り、画像形成装置１は、原稿Ｇの読み取り処理を行う。
【００７０】
続いて、図１３のＳ１３１０における原稿Ｇの追記プリントが完了したか否かを判定する処理について図１５のフローチャートを用いて説明を加える。図１３のフローチャートの説明と同様に、総ページ数が２０ページの原稿Ｇにおいて、第１面の１ページと第２面の４ページに複写履歴情報の追記を行う場合の例について説明する。
【００７１】
Ｓ１５０１にて、画像形成装置１は、Ｓ１３１０で原稿Ｇに追記処理したページ番号を追記ページ番号リストから消去する。本実施形態では、画像形成装置１は、１ページ目と４ページ目の追記処理が完了した時点で、表１の追記ページ番号リストから各々の該当するページを削除する。
【００７２】
Ｓ１５０２にて、画像形成装置１は、追記ページ番号リストから全てのページが消去されたか否かを判定する。追記ページ番号リストがすべて消去されている場合は（Ｓ１５０２にてＹＥＳ）、画像形成装置１は、原稿Ｇへの追記処理が完了したと判定し、図１３のＳ１３１１に進む。また、追記ページ番号リストにページ番号が残っている場合は（Ｓ１５０２にてＮＯ）、画像形成装置１は、原稿Ｇへの追記処理が未完了であると判定し、図１３のＳ１３０１に戻り、原稿Ｇの読み取りおよび追記処理を行う。なお、Ｓ１３１０における追記完了の判定手法については、二次元バーコード１２０４に埋め込まれた情報に応じて変えても良い。例えば、表２に示した追記ページ番号リストを作成するために必要な情報が二次元バーコード１２０４に埋め込まれていない場合には、第２給紙部１３に積載された原稿Ｇの読み取りが全て完了したことで追記完了の判定を行うことができる。
【００７３】
以上、本実施形態によれば原稿Ｇへの複写履歴情報の追記処理が完了したことを判定した後に、複写物の印刷を行う。これにより、原稿への複写履歴情報の追記と、原稿の画像情報に基づいた複写物の生成の実行タイミングを制御し、情報セキュリティーを向上させることが可能となる。また、装置の小型化やコストダウンに対しても効果的な構成を提供できる。
【００７４】
＜第二の実施形態＞
本実施形態では、原稿Ｇへ複写履歴情報の追記を、原稿Ｇの余白を検知して自動的に実行する制御について説明する。なお、本実施形態において、要部構成が第一の実施形態と同一の場合は同一の符号を付加し、説明を省略する。
【００７５】
表３に本実施形態に係る原稿Ｇに予め印字されている二次元バーコード１２０４に埋め込まれた情報の一例を示す。表１の情報に加え、複写履歴情報の文字サイズを予め二次元バーコード１２０４に情報として埋め込ませる。第一の実施形態と同様に、原稿Ｇへの二次元バーコード１２０４の付加については、原稿Ｇの文書作成時にユーザがパーソナルコンピュータの文書作成ソフト上で行うこととする。
【００７６】
【表３】
0006448309.tif 000004
【００７７】
［処理フロー］
図１６のフローチャートを用いて本実施形態に係る画像形成装置１の両面コピー時における原稿Ｇへの複写履歴情報の追記処理について説明を加える。
【００７８】
Ｓ１６０１にて、画像形成装置１は、複写履歴情報の追記に必要なスペースが、原稿Ｇに存在するか否かを、Ｓ１３０１もしくはＳ１３０２で読み込んだ原稿Ｇの画像データから求める。原稿Ｇの空きスペースは、画像データから白の部分を判別し、その後、判別した白の塊（余白領域）の面積を求めることによって算出することが可能となる。なお、画像データから白を判別するのは画像データの各画素のＲＧＢ値が所定値以上であるか否かによって求めることができる。また、原稿Ｇに必要な空きスペースの面積は、図１３のＳ１３０７でユーザによって入力された文字数に応じて変更しても良い。また、ある程度、複写履歴情報を追記する領域を限定しておいてもよい。そして、追記が可能であると特定された領域に対し、複写履歴を追記することとなる。
【００７９】
以上、本実施形態によれば、読み込んだ原稿Ｇの画像データから追記するスペースを求めた後に複写履歴の追記を行う。これにより、原稿Ｇへの複写履歴情報のより確実な追記が可能となる。
【００８０】
＜第三の実施形態＞
本実施形態では、原稿Ｇへ複写履歴情報の追記が可能な回数を、原稿Ｇに付加した二次元バーコード１２０４に埋め込んでおき、追記回数が所定値より超えた場合の制御について説明する。なお、本実施形態において、要部構成が第一の実施形態と同一の場合は同一の符号を付加し、説明を省略する。
【００８１】
図１７は、本実施形態における原稿Ｇへの複写履歴情報の追記が所定回数を超えた場合の一例を示す。図１７において、１２０１は複写前の原稿Ｇを示す。また、１２０２は複写に伴って追記プリント処理を行った原稿Ｇ、１２０５は複写に伴って追記プリント処理を行わなかった原稿Ｇ、１２０３は複写物を示す。図１７は、原稿Ｇには複写履歴情報の追記が所定回数を超え追記スペースがない場合を示している。つまり、原稿Ｇ１２０２では、複写履歴が５回分追記され、以降の複写履歴を追記する領域が無くなっている。本実施形態においては、新しい記録材Ｓに複写履歴記載ページＫを追加する制御を実施する。さらに複写物にも原稿Ｇと同じく、新たに複写履歴記載ページＫが追加される。
【００８２】
また、二次元バーコード１２０４には、原稿Ｇへの複写履歴情報の追記に必要な情報と共に、複写履歴情報の追記可能回数（追記処理が実行可能な上限回数）についての情報が埋め込まれている。第一の実施形態と同様に、原稿Ｇへの二次元バーコード１２０４の付加については、原稿Ｇの文書作成時にユーザによりパーソナルコンピュータの文書作成ソフト上で行うものとする。表４に本実施形態に係る二次元バーコード１２０４に埋め込む情報の項目の一例を示す。ここでは、複写履歴情報を追記可能な上限回数を“５”とした例を示す。なお、情報を埋め込む手段としては二次元バーコード１２０４に限定するものではなく、例えば電子透かし等であっても構わない。
【００８３】
【表４】
0006448309.tif 000005
【００８４】
図１７の二次元バーコード１７０１は、原稿Ｇに複写履歴情報の追記回数を埋め込むために、複写毎に付加される。つまり、二次元バーコード１７０１を追記するたびにその内容に含まれる追記回数の情報を更新する。表５に二次元バーコード１７０１に埋め込む情報の一例を示す。なお、二次元バーコード１７０１には追記回数だけではなく複写履歴情報そのものを埋め込んでもよく、その場合は、複写履歴情報を文字として追記プリントすることを省いてもよい。
【００８５】
【表５】
0006448309.tif 000006
【００８６】
図１７の二次元バーコード１７０２は、複写履歴記載ページＫに複写履歴情報の追記回数を埋め込むために、複写履歴記載ページＫの作成時に印刷される。詳細については、図１９のＳ１９０４の箇所で説明する。表６に二次元バーコード１７０２に埋め込まれた情報の一例を示す。ここでは、新たな複写履歴記載ページが追加されたため、複写履歴情報の追記可能回数の上限が異なる値となっている。
【００８７】
【表６】
0006448309.tif 000007
【００８８】
図１８は、図１７とは異なり、すでに複写履歴記載ページＫが追加されている状態でコピー処理が発生した場合を示す。図１８において、１２０１は複写前の原稿Ｇを示す。また、１２０２は複写後の原稿Ｇ、１２０３は複写物を示す。複写前にすでに複写履歴記載ページＫが原稿Ｇに追加されている。つまり、図１７に示すように複写履歴記載ページＫには複写履歴が１つ印刷されている。この場合、原稿Ｇには追記プリント処理を行わず、複写履歴記載ページＫに対し複写履歴情報を追記プリント処理する。また、二次元バーコード１８０１を複写履歴記載ページＫに印刷する。二次元バーコード１８０１には、表７に示すように複写履歴情報の追記回数が１つ増加した（追記回数が“２”になった）ことを情報として埋め込む。
【００８９】
【表７】
0006448309.tif 000008
【００９０】
［処理フロー］
図１９のフローチャートを用いて本実施形態に係る画像形成装置１の複写履歴記載ページＫの追加を含めた原稿Ｇへの複写履歴情報の追記処理について説明する。なお、図１９のフローチャートにおいては複写前にすでに原稿Ｇに追加されている複写履歴記載ページについては原稿Ｇとして扱う。
【００９１】
Ｓ１９０１にて、画像形成装置１は、Ｓ１３０８で原稿Ｇに複写履歴情報の追記プリントが必要であると判定した場合（Ｓ１３０８にてＹＥＳ）、複写履歴情報の追記領域が存在するか否かを判定する。具体的には、二次元バーコード１２０４の複写履歴情報追記可能回数よりも、二次元バーコード１７０１の複写履歴追記回数が少ない場合に、画像形成装置１は、原稿Ｇへ複写履歴情報の追記プリントが可能であり、追記領域が存在すると判定する。この場合（Ｓ１９０１にてＹＥＳ）、Ｓ１９０２に進む。一方、二次元バーコード１２０４の複写履歴情報追記可能回数と、二次元バーコード１７０１の複写履歴追記回数とが同じ場合は、画像形成装置１は、複写履歴記載ページＫに追記プリントが不可であり、追記領域は存在しないと判定する。この場合（Ｓ１９０１にてＮＯ）、Ｓ１９０３に進む。
【００９２】
Ｓ１９０２にて、画像形成装置１は、二次元バーコード１２０４に埋め込まれた情報に基づいて、二次元バーコード１７０１と複写履歴情報を追記プリントする。なお、上述したように二次元バーコード１７０１に複写履歴情報を埋め込む場合は、複写履歴情報を文字としてプリントする必要はない。その後、図１３のＳ１３１０へ進む。
【００９３】
Ｓ１９０３にて、画像形成装置１は、新たな記録紙Ｓに複写履歴情報の追記プリントを行うために原稿Ｇを画像形成装置１から排出する処理を行う。
【００９４】
Ｓ１９０４にて、画像形成装置１は、新しい記録紙Ｓへの二次元バーコードと複写履歴情報のプリント処理を行う。具体的には、画像形成装置１は、新たな記録紙Ｓを第１給紙部３から、ＣＳＴピックアップローラ２３および搬送ローラ２７によって搬送し、プリント処理を行う。その後、図１３のＳ１３１０へ進む。
【００９５】
以上、本実施形態によれば、第一の実施形態の効果に加え、原稿Ｇへ所定回数以上の複写履歴の追記を行った場合は、新たな記録紙Ｓに複写履歴情報の追記を行う制御を行う。この制御により、原稿への追記スペースがないことによる複写履歴情報の追記不備を回避することが可能となる。
【００９６】
なお、第二の実施形態にて述べた空きスペースを算出する処理（図１６のＳ１６０１）において、空きスペースがないと判定された場合、本実施形態のように、新たな記録材に追記処理を行うようにしてもよい。
【００９７】
＜その他の実施形態＞
また、第一〜第三の実施形態においては、図１に示すように画像を読み取る部位（画像読取部５０）が画像形成装置１の内部に設けられた構成を例にとって説明した。しかし、この構成に限定するものではなく、例えば、スキャナなどのように装置の外部に画像読取部が設けられる構成であっても構わない。この場合には、例えば装置の外部にて原稿等の画像が読み取られた後、その原稿が装置内に搬送されるようにしてもよい。
【００９８】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９９】
１：画像形成装置、５：第１の搬送路（記録材搬送路）、１５：第２の搬送路（原稿搬送路）、１１：光学ユニット、２１：印刷部、５０：画像読取部、８０１：ＣＰＵ、Ｇ：原稿、Ｓ：記録紙
【図１】
0006448309.tif 000009
【図２】
0006448309.tif 000010
【図３】
0006448309.tif 000011
【図４】
0006448309.tif 000012
【図５】
0006448309.tif 000013
【図６】
0006448309.tif 000014
【図７】
0006448309.tif 000015
【図８】
0006448309.tif 000016
【図９】
0006448309.tif 000017
【図１０】
0006448309.tif 000018
【図１１】
0006448309.tif 000019
【図１２】
0006448309.tif 000020
【図１３】
0006448309.tif 000021
【図１４】
0006448309.tif 000022
【図１５】
0006448309.tif 000023
【図１６】
0006448309.tif 000024
【図１７】
0006448309.tif 000025
【図１８】
0006448309.tif 000026
【図１９】
0006448309.tif 000027